(57)【要約】【課題】発光手段又は受光手段の状態を把握することが可能な散乱光式感知器を提供すること。【解決手段】  検出対象である煙が流入する発生空間３２と、発生空間３２に向けて検出光を発光する第１発光部６１及び第２発光部と、少なくとも、第１発光部６１及び第２発光部から発光された検出光が発生空間３２に流入した検出対象である煙により散乱されることで生じる散乱光を受光する発光部と、第１発光部６１及び第２発光部から発光された検出光の一部のみの光である一部検出光であって、第１発光部６１及び第２発光部又は受光部の状態を把握するための一部検出光を、発生空間３２を介さずに受光部に導く導光空間と、を備えており、導光空間は、一部検出光を導く空間であって、第１発光部６１及び第２発光部側から受光部側に至る導光空間を備えている。【選択図】図４
2019046112.tif 000002
【特許請求の範囲】
【請求項１】
検出対象が流入する検出空間と、
前記検出空間に向けて検出光を発光する発光手段と、
少なくとも、前記発光手段から発光された前記検出光が前記検出空間に流入した前記検出対象により散乱されることで生じる散乱光を受光する受光手段と、
前記発光手段から発光された前記検出光の一部のみの光である一部検出光であって、前記発光手段又は前記受光手段の状態を把握するための前記一部検出光を、前記検出空間を介さずに前記受光手段に導く導光手段と、を備えており、
前記導光手段は、前記一部検出光を導く導光空間であって、前記発光手段側から前記受光手段側に至る前記導光空間を備えている、
散乱光式感知器。
【請求項２】
前記導光空間は、前記一部検出光を所定の反射率にて反射する反射層、を備える、
請求項１に記載の散乱光式感知器。
【請求項３】
前記導光空間は、前記発光手段又は前記受光手段が実装される回路基板の少なくとも一部によって囲まれている、
請求項１又は２に記載の散乱光式感知器。
【請求項４】
前記導光空間は、密閉空間である、
請求項１から３の何れか一項に記載の散乱光式感知器。
【請求項５】
前記検出対象は、煙である、
請求項１から４の何れか一項に記載の散乱光式感知器。
【発明の詳細な説明】
【技術分野】
【０００１】
本発明は、散乱光式感知器に関する。
【背景技術】
【０００２】
従来、外部から遮光された遮光領域内に設けられている検出空間を備えており、この検出空間に流入した煙の濃度を検出することにより、火災を判定する火災感知器が知られていた（例えば、特許文献１参照）。この火災感知器は、検出光を発光する発光部と、発光部から発光された検出光に基づく光を受光する受光部とを備えており、発光部から発光された検出光が検出空間内の煙の粒子によって散乱されることにより生じる散乱光を受光部で受光し、受光部が受光した光の光量に基づいて、火災を判定していた。
【０００３】
ところで、従来の火災感知器においては、検出空間に煙が流入したか否かに関わらず、発光部からの検出光が、遮光領域内の部品（例えば、遮光領域を区画するラビリンス等）で反射した後に受光部に入射し、煙の検出に悪影響を与えてしまい、火災感知器による火災の判定に悪影響を与えてしまう可能性があった。
【０００４】
そこで、発光部からの検出光が遮光領域内で反射して受光部に入射するのを防止するために、光を減衰するための構造である光減衰構造を遮光領域内に設けて、遮光領域内で発光部からの検出光を減衰させる技術が提案されていた。
【先行技術文献】
【特許文献】
【０００５】
【特許文献１】特開２０１１−２４８５４７号公報
【発明の概要】
【発明が解決しようとする課題】
【０００６】
ところで、一般的に、火災感知器においては、定期的に発光部から検出光を出力し、当該出力した検出光を受光部にて検出することにより、火災感知器の発光部又は受光部の状態を把握していた。
【０００７】
しかしながら、従来の火災感知器において光減衰構造を設けた場合、発光部からの検出光が受光部に入射する前に減衰してしまうので、発光部からの検出光を用いて、火災感知器の発光部又は受光部の状態を把握することが困難となる可能性があった。
【０００８】
本発明は上記問題に鑑みてなされたもので、発光手段又は受光手段の状態を把握することが可能な散乱光式感知器を提供することを目的とする。
【課題を解決するための手段】
【０００９】
上述した課題を解決し、目的を達成するために、請求項１に記載の散乱光式感知器は、検出対象が流入する検出空間と、前記検出空間に向けて検出光を発光する発光手段と、少なくとも、前記発光手段から発光された前記検出光が前記検出空間に流入した前記検出対象により散乱されることで生じる散乱光を受光する受光手段と、前記発光手段から発光された前記検出光の一部のみの光である一部検出光であって、前記発光手段又は前記受光手段の状態を把握するための前記一部検出光を、前記検出空間を介さずに前記受光手段に導く導光手段と、を備えており、前記導光手段は、前記一部検出光を導く導光空間であって、前記発光手段側から前記受光手段側に至る前記導光空間を備えている。
【００１０】
また、請求項２に記載の散乱光式感知器は、請求項１に記載の散乱光式感知器において、前記導光空間は、前記一部検出光を所定の反射率にて反射する反射層、を備える。
【００１１】
また、請求項３に記載の散乱光式感知器は、請求項１又は２に記載の散乱光式感知器において、前記導光空間は、前記発光手段又は前記受光手段が実装される回路基板の少なくとも一部によって囲まれている。
【００１２】
また、請求項４に記載の散乱光式感知器は、請求項１から３の何れか一項に記載の散乱光式感知器において、前記導光空間は、密閉空間である。
【００１３】
また、請求項５に記載の散乱光式感知器は、請求項１から４の何れか一項に記載の散乱光式感知器において、前記検出対象は、煙である。
【発明の効果】
【００１４】
請求項１に記載の散乱光式感知器によれば、発光手段から発光された検出光の一部のみの光である一部検出光であって、発光手段又は受光手段の状態を把握するための一部検出光を、検出空間を介さずに受光手段に導くことにより、例えば、一部検出光を受光手段に入射させることができるので、発光手段又は受光手段の状態を把握することが可能となる。特に、例えば、導光手段が導光空間を備えていることにより、一定の空間を取り囲む等して導光手段の経路を自由に設定することができるので、例えば、光ファイバーの如き導光部材の散乱光式感知器内での引き回し等が不要となり、散乱光式感知器の製造性を向上させることが可能となる。また、例えば、導光手段である導光空間の内部を中空にすることができるので、導光手段を形成するための材料の量を減らすことができるので、散乱光式感知器の低コスト化及び軽量化を図ることが可能となる。
【００１５】
請求項２に記載の散乱光式感知器によれば、導光空間が反射層を備えることにより、例えば、一部検出光が導光空間内で減衰してしまうのを防止することができるので、一部検出光を受光手段に確実に入射させることが可能となる。
【００１６】
請求項３に記載の散乱光式感知器によれば、導光空間は回路基板の少なくとも一部によって囲まれているので、例えば、導光空間を形成するための専用部品を設けることが不要となるので、部品点数を減少させることができ、散乱光式感知器の低コスト化及び軽量化を図ることが可能となる。
【００１７】
請求項４に記載の散乱光式感知器によれば、導光空間が密閉空間であることにより、例えば、導光空間に検出対象が流入するのを防止することができるので、検出空間に流入する検出対象に関わらず安定的に一部検出光を受光手段に入射させることができるので、発光手段又は受光手段の状態を常に正確に把握することが可能となる。
【００１８】
請求項５に記載の散乱光式感知器によれば、検出対象が煙であることにより、例えば、煙を検出することができるので、当該煙の検出により火災を確実に判定することが可能となる。
【図面の簡単な説明】
【００１９】
【図１】本実施の形態に係る感知器の斜視図である。
【図２】感知器の底面図である。
【図３】感知器の側面図である。
【図４】図２のＡ―Ａ矢視断面図である。
【図５】感知器における回路基板の一部及び検煙部カバーの底面図である。
【図６】感知器における回路基板及び検煙部カバーの一部の分解斜視図である。
【図７】感知器における回路基板及び検煙部カバーの一部の斜視図である。
【図８】取付面側から見た状態の検煙部カバーの斜視図である。
【図９】取付面側とは反対側から見た状態の検煙部カバーの斜視図である。
【図１０】図４において気流を白抜き矢印にて例示した図である。
【００２０】
以下に、本発明に係る散乱光式感知器の実施の形態を図面に基づいて詳細に説明する。なお、この実施の形態によりこの発明が限定されるものではない。
【００２１】
〔実施の形態の基本的概念〕
まずは、実施の形態の基本的概念について説明する。実施の形態は、概略的に、散乱光式感知器に関するものである。
【００２２】
ここで、「散乱光式感知器」とは、監視領域を監視する装置であり、具体的には、後述する散乱光を用いて、監視領域の検出対象を検出することにより監視領域の異常を監視するものであり、例えば、設置対象物の設置面に取り付けられるものであり、一例としては、発光手段と、受光手段と、導光手段とを備えている機器であり、火災等の異常を判定する機器である。この「散乱光式感知器」は、例えば、煙感知器、及び火災感知器等を含む概念である。
【００２３】
なお、「監視領域」とは、散乱光式感知器による監視の対象となっている領域であり、具体的には、一定の広がりを持った空間であって、屋内あるいは屋外の空間であり、例えば、建物の廊下、階段、又は部屋等の空間を含む概念である。また、「設置対象物」とは、散乱光式感知器を設置する対象物であって、例えば、監視領域内の天井、壁等が挙げられる。また、「設置面」とは、散乱光式感知器が設置される設置対象物の面であって、例えば、天井における監視領域側の面（つまり、天井の下面）、壁における監視領域側の面（つまり、壁の室内側面）等が挙げられる。
【００２４】
また、「監視領域の異常」とは、監視領域が通常とは異なっている状態になっていることであり、例えば、火災発生等を含む概念である。また、「検出対象」とは、散乱光式感知器による検出の対象であり、具体的には、監視領域の異常に関連するものであり、例えば、煙等を含む概念である。
【００２５】
また、「発光手段」とは、検出対象が流入する空間である検出空間に向けて検出光を発光するものであり、「受光手段」とは、少なくとも、発光手段から発光された検出光が検出空間に流入した検出対象により散乱されることで生じる散乱光を受光するものである。なお、「検出光」とは、異常発生を判定するために検出対象である煙を検出するための光であり、具体的には、散乱光の基となる光である。また、「散乱光」とは、異常発生を判定するために検出対象である煙を検出するための光であり、具体的には、検出光が検出対象である煙の粒子に照射されることにより散乱され、当該散乱によって生じる光である。
【００２６】
また、「導光手段」とは、一部検出光を導くものであり、具体的には、一部検出光を検出空間を介さずに受光手段に導くものであり、例えば、導光空間、あるいは、導光部材等を含む概念である。なお、「一部検出光」とは、発光手段から発光された検出光の一部のみの光であって、発光手段又は受光手段の状態を把握するための光であり、例えば、導光手段によって導かれ得る光である。また、「導光空間」とは、一部検出光を導く空間であって、発光手段側から受光手段側に至る空間であり、例えば、一部検出光を導くために物体（ここでは、固体）が存在しない空間を含む概念であり、一例としては、密閉空間、及び非密閉空間を含む概念である。なお、「密閉空間」とは、少なくとも光を導光することができる空間であり、具体的には、外部に対して閉じられた空間であり、例えば、検出対象である煙の流入出が行われ得ない空間である。また、「非密閉空間」とは、少なくとも光を導光することができる空間であり、具体的には、外部に対して開かれた空間であり、例えば、検出対象である煙の流入出が行われ得る空間である。また、「導光部材」とは、一部検出光を導く部材であって、発光手段側から受光手段側に至る部材であり、例えば、一部検出光を導くための材料にて形成されたものを含む概念であり、一例としては、導光空間とは区別されるものであって、光ファイバー、及びライトガイド等を含む概念である。
【００２７】
そして、以下の実施の形態においては、「散乱光式感知器」が「火災感知器」であり、「監視領域」が「建物の部屋」であり、「設置対象物」が「天井」であり、「監視領域の異常」が「火災発生」であり、「検出対象」が「煙」であり、「導光手段」が「導光空間」であり、「導光空間」が「密閉空間」である場合について説明する。
【００２８】
（構成）
まず、本実施の形態に係る感知器の構成について説明する。図１は、本実施の形態に係る感知器の斜視図であり、図２は、感知器の底面図であり、図３は、感知器の側面図であり、図４は、図２のＡ―Ａ矢視断面図であり、図５は、感知器における回路基板の一部及び検煙部カバーの底面図である。なお、説明の便宜上、図２では、図１の誘導部２２及びリブ２３が省略されており、また、図３及び図４では、図１のリブ２３が省略されており、また、図５では、回路基板６については一部のみが図示されている。
【００２９】
なお、以下の説明では、各図に示すＸ―Ｙ―Ｚが互いに直交する方向であり、具体的には、Ｚ方向が鉛直方向（つまり、重力が働く方向）であって、Ｘ方向及びＹ方向が鉛直方向に対して直交する水平方向であるものとして、例えば、Ｚ方向を高さ方向と称し、＋Ｚ方向を上側（平面）と称し、−Ｚ方向を下側（底面）と称して説明する。また、以下の「Ｘ―Ｙ―Ｚ方向」に関する用語については、図示の感知器１００において、各構成品の相対的な位置関係（又は、方向）等を説明するための便宜的な表現であることとし、図４の遮光空間３の中心位置を基準として、遮光空間３から離れる方向を「外側」と称し、遮光空間３に近づく方向を「内側」と称して、以下説明する。以下では、感知器１００全体の構成を説明した後に、特に特徴的な構成の詳細について説明する。
【００３０】
これら各図に示す感知器１００は、散乱光式感知器であって、気体に含まれている検出対象である煙を検出することにより、火災発生を監視して警報する警報手段であり、具体的には、図４に示すように、監視領域の天井における下側（−Ｚ方向）の面（つまり、下面）である設置面９００に取り付けて用いるものであり、例えば、取付ベース１、外カバー２、遮光空間３、検煙部カバー４、防虫網５、回路基板６、及び図５の導光空間７を備える。
【００３１】
（構成‐取付ベース）
取付ベース１は、設置面９００に対して、外カバー２を取り付けるための取付手段である。この取付ベース１の具体的な種類や構成は任意であるが、例えば、設置面９００と対向する面である取付面１１を備えているものであって、外カバー２と設置面９００との間において、設置面９００に対して公知の固定手段（例えば、ねじあるいは嵌合構造等）によって固定されているものであり、また、全体として円盤形状の樹脂製のものである。
【００３２】
（構成‐外カバー）
次に、図４の外カバー２は、感知器１００の構成要素である遮光空間３、検煙部カバー４、防虫網５、回路基板６、及び導光空間７（以下、収容対象物）を覆うカバーであり、具体的には、取付ベース１を介して設置面９００に取り付けられるものであり、例えば、全体として円盤形状の樹脂製のものである。この外カバー２の具体的な種類や構成は任意であるが、例えば、本体部２１、誘導部２２、及び図１のリブ２３を備えているものである。
【００３３】
（構成‐外カバー‐本体部）
本体部２１は、収容対象物を収容する収容手段であり、具体的には、高さ方向（Ｚ方向）における上側（＋Ｚ方向）に設けられている円筒状部分と、この円筒状部分から下側（−Ｚ方向）に向かうにつれて小径となっているテーパ状部分とによって形成されているものであり、例えば、外カバー側流入出開口２１１を備える。
【００３４】
（構成‐外カバー‐本体部‐外カバー側流入出開口）
外カバー側流入出開口２１１は、煙を含む気体の遮光空間３に対する流入及び／又は流出を可能にする流入出開口であって、取付面１１と略直交する方向（Ｚ方向）を基準にして本体部２１における取付面１１の反対側（−Ｚ方向）に向けて設けられているものである。この外カバー側流入出開口２１１の具体的な構成は任意であるが、例えば、図２に示すように区分点２１ａの周囲に複数設けられているものである。ここで、区分点２１ａとは、遮光空間３に流入する気体と遮光空間３から流出する気体とを分ける点であり、具体的には、本体部２１における下側（−Ｚ方向）の一部であって、例えば、後述する検出点３１の直下の本体部２１と誘導部２２とが相互に接続されている部分である。
【００３５】
（構成‐外カバー‐誘導部）
図４の誘導部２２は、取付面１１と略直交する方向（Ｚ方向）を基準にして本体部２１を介して取付面１１の反対側（−Ｚ方向）に設けられている誘導部材であり、具体的には、全体としては、本体部２１よりも小径のものであり、例えば、誘導部側傾斜部２２１を備える。
【００３６】
（構成‐外カバー‐誘導部‐誘導部側傾斜部）
誘導部側傾斜部２２１は、気体が外カバー側流入出開口２１１を介して遮光空間３に流入するように当該気体を誘導する誘導手段であり、具体的には、誘導部２２における本体部２１側の少なくとも一部を、区分点２１ａ側に向かうにつれて（つまり、ＸＹ平面に沿って外側から内側に向かうにつれて）取付面１１に近付くように傾斜させることにより形成されるものである。
【００３７】
（構成‐外カバー‐誘導部‐リブ）
図１のリブ２３は、気体が外カバー側流入出開口２１１を介して遮光空間３に流入するように当該気体を誘導する誘導手段であり、具体的には、当該誘導手段としての機能と共に、本体部２１に対して誘導部２２を固定して補強する補強手段として機能するものである。このリブ２３の具体的な構成は任意であるが、例えば、本体部２１と誘導部２２との間に設けられているものであり、また、図２の複数の外カバー側流入出開口２１１を半径方向の２個の組み合わせ単位で相互に区画するように、区分点２１ａを基準に放射状に８個設けられているものである。
【００３８】
（構成‐遮光空間）
次に、図４の遮光空間３は、外部から遮光された遮光領域であり、具体的には、検煙部カバー４及び回路基板６によって囲まれている空間である。この遮光空間３の具体的な種類や構成は任意であるが、例えば、検出点３１、及び発生空間３２を備える空間である。
【００３９】
（構成‐遮光空間‐検出点）
検出点３１は、遮光空間３内の点であって、煙を検出する基準となる点であり、例えば、図２に示す後述の第１発光側光軸６１１、第２発光側光軸６２１、及び受光側光軸６３１が相互に交わる位置であり、一例としては、水平方向（ＸＹ平面に平行な方向）において感知器１００の中心付近となる位置である。
【００４０】
（構成‐遮光空間‐発生空間）
発生空間３２は、遮光空間３内の空間であって、煙が流入する検出空間であり、具体的には、検出点３１を取り囲む空間であり、例えば、後述の第１発光部６１又は第２発光部６２から発光された前述の検出光が照射される空間であって、受光部６３にて受光される前述の散乱光が発生し得る空間である。
【００４１】
（構成‐検煙部カバー）
次に、図４の検煙部カバー４は、遮光空間３を区画する区画手段であり、具体的には、回路基板６と共に遮光空間３を取り囲むものであり、また、当該遮光空間３を形成する遮光領域形成部材である。なお、検煙部カバー４の詳細については後述する。
【００４２】
（構成‐防虫網）
次に、図４の防虫網５は、外カバー２の外部の虫が遮光空間３に侵入するのを防止する防虫手段であり、具体的には、外カバー２の外部から遮光空間３の内部に、防虫網５自身の小孔を介して気体が流入するのを許容する一方で、遮光空間３に虫が入ることを防止するものである。この防虫網５の具体的な種類や構成は任意であるが、例えば、平板状のものであり、また、検煙部カバー４とは別体として形成されているものであり、また、外カバー側流入出開口２１１全てを覆うように１つのみ設けられてものである。
【００４３】
（構成‐回路基板）
次に、図４の回路基板６は、感知器１００の各素子が実装される実装手段であり、また、遮光空間３を区画する区画手段であり、具体的には、検煙部カバー４と共に遮光空間３を取り囲むものであり、少なくとも、図２の第１発光部６１、第２発光部６２、及び受光部６３を備えるものである。なお、これら各部を含む回路基板６の詳細については後述する。
【００４４】
（構成‐導光空間）
図２の導光空間７は、前述の導光手段であり、具体的には、第１発光部６１及び第２発光部６２から発光された検出光の一部のみの光である前述の一部検出光を、発生空間３２を介さずに受光部６３に導くものである。なお、導光空間７の詳細については後述する。
【００４５】
（構成‐詳細）
次に、検煙部カバー４、回路基板６、及び導光空間７の詳細について説明する。なお、説明の便宜上、回路基板６、検煙部カバー４、導光空間７の順で説明する。
【００４６】
（構成‐詳細‐回路基板）
図６は、感知器における回路基板及び検煙部カバーの一部の分解斜視図であり、図７は、感知器における回路基板及び検煙部カバーの一部の斜視図である。回路基板６は、例えば、検煙部カバー４との間に図５の導光空間７を形成するためのものであり、外カバー２の内部に前述の任意の固定手段を用いて固定されるものであり、また、全体としてＸＹ平面に沿ってひろがっている平板形状のものであり、また、図６の吸収層６００、反射層６０１、位置決め孔６０２、図２の第１発光部６１、第２発光部６２、及び受光部６３を備えるものである。
【００４７】
（構成‐詳細‐回路基板‐吸収層）
図６の吸収層６００は、光を吸収する吸収手段であり、具体的には、遮光空間３の内部で検煙部カバー４によって反射された光を吸収するものであり、また、回路基板６における遮光空間３を区画する壁となる部分の全面に設けられている層である。この吸収層６００の具体的な種類や構成は任意であるが、例えば、吸光率の高い公知の黒色の光吸収材料が塗布されている、あるいは、当該吸収材料にて形成されている層である。
【００４８】
（構成‐詳細‐回路基板‐反射層）
図６の反射層６０１は、第１発光部６１及び第２発光部６２から発光された検出光の一部のみの光である前述の一部検出光を所定の反射率にて反射する反射手段であり、具体的には、導光空間７を形成するものであり、また、後述する導光空間用溝４６の形状に対応する形状のものである。なお、「所定の反射率」とは、予め定められた反射率であり、具体的には、少なくとも吸収層６００の反射率よりも高い反射率である。この反射層６０１の具体的な種類や構成は任意であるが、例えば、吸収層６００の表面に重畳して設けられている層であり、所定の反射率を有する材料によって形成されている層であるが、一例としては、所定の反射率のシルク材料によって形成される層である。
【００４９】
（構成‐詳細‐回路基板‐位置決め孔）
図６の位置決め孔６０２は、回路基板６に対して検煙部カバー４を位置決めするための位置決め手段であり、例えば、３個設けられているものである。
【００５０】
（構成‐詳細‐回路基板‐第１発光部）
図２の第１発光部６１は、遮光空間３に流入した煙を検出する検出手段であり、具体的には、遮光空間３内の発生空間３２に向けて第１発光側光軸６１１に沿って検出光を発光する第１発光手段であって、回路基板６に実装されているものである。ここで、第１発光側光軸６１１は、第１発光部６１からの検出光が出力される直進方向を示す軸であり、具体的には、少なくとも受光側光軸６３１と交わる軸であり、例えば、第１発光部６１における検出光を出力する部分と検出点３１とを結ぶ直線に対応するものであり、図２にて仮想的に図示されている直線に対応するものである。この第１発光部６１の具体的な種類や構成は任意であるが、例えば、図４の第１発光素子６１２、及び第１発光側光学部品６１３を備える。
【００５１】
第１発光素子６１２は、検出光を出力する検出光出力手段であり、例えば、青色の検出光を出力する発光ダイオードである。また、第１発光側光学部品６１３は、第１発光素子６１２からの検出光を遮光空間３側に案内する検出光案内手段であり、例えば、プリズムである。そして、これらを備える第１発光部６１は、第１発光素子６１２からの検出光のうちの大部分を第１発光側光学部品６１３を介して遮光空間３に出力し、また、第１発光素子６１２からの検出光のうちの遮光空間３に出力されないものの少なくとも一部を、一部検出光として図５の導光空間７に出力するように構成されている。
【００５２】
（構成‐詳細‐回路基板‐第２発光部）
図２の第２発光部６２は、遮光空間３に流入した煙を検出する検出手段であり、具体的には、遮光空間３内の発生空間３２に向けて第２発光側光軸６２１に沿って検出光を発光する第２発光手段であって、回路基板６に実装されているものである。ここで、第２発光側光軸６２１は、第２発光部６２からの検出光が出力される直進方向を示す軸であり、具体的には、少なくとも受光側光軸６３１と交わる軸であり、例えば、第２発光部６２における検出光を出力する部分と検出点３１とを結ぶ直線に対応するものであり、図２にて仮想的に図示されている直線に対応するものである。この第２発光部６２の具体的な種類や構成は任意であるが、例えば、図６の第２発光素子６２２、及び不図示の第２発光側光学部品を備える。
【００５３】
第２発光素子６２２は、検出光を出力する検出光出力手段であり、例えば、赤色の検出光を出力する発光ダイオードである。また、不図示の第２発光側光学部品は、第１発光部６１の第１発光側光学部品６１３と同様なものであり、つまり、第２発光素子６２２からの検出光を遮光空間３側に案内する検出光案内手段であり、例えば、プリズムである。そして、これらを備える第２発光部６２は、第２発光素子６２２からの検出光のうちの大部分を第２発光側光学部品を介して遮光空間３に出力し、また、第２発光素子６２２からの検出光のうちの遮光空間３に出力されないものの少なくとも一部を、一部検出光として図５の導光空間７に出力するように構成されている。
【００５４】
（構成‐詳細‐回路基板‐受光部）
図２の受光部６３は、遮光空間３に流入した煙を検出する検出手段であり、具体的には、第１発光部６１又は第２発光部６２から発光された検出光が遮光空間３の発生空間３２に流入した煙により散乱されることで生じる前述の散乱光を、受光側光軸６３１に沿って受光する受光手段であって、回路基板６に実装されているものである。ここで、受光側光軸６３１は、受光部６３が散乱光を受光する方向を示す軸であって、例えば、検出点３１にて第１発光側光軸６１１及び第２発光側光軸６２１と交わるものであって、受光部６３における散乱光を受光する部分と検出点３１とを結ぶ直線に対応するものであり、図２にて仮想的に図示されている直線に対応するものである。そして、この受光側光軸６３１、第１発光側光軸６１１、及び第２発光側光軸６２１の向き及び配置については、少なくとも、受光側光軸６３１と第１発光側光軸６１１とが交わる点が遮光空間３の内部になり、且つ、受光側光軸６３１と第２発光側光軸６２１とが交わる点が遮光空間３の内部になる限りにおいて任意に設定され得るが、ここでは、例えば、これらの各光軸が相互に１つの点である検出点３１にて交わり、且つ、各光軸がＸＹ平面と平行な同一平面上に設けられるように設定されているものとして、以下説明する。また、この受光側光軸６３１、第１発光側光軸６１１、及び第２発光側光軸６２１によって定まる平面を、「光軸画定平面」と称して以下説明する。図２に戻って、受光部６３の具体的な種類や構成は任意であるが、例えば、図６の受光素子６３２、及び不図示の受光側光学部品を備える。
【００５５】
受光素子６３２は、散乱光を受光する検出光出力手段であり、例えば、フォトダイオードである。また、不図示の受光側光学部品は、第１発光部６１の第１発光側光学部品６１３と同様なものであり、つまり、自己に入射した散乱光を受光素子６３２に案内する散乱光案内手段であり、例えば、プリズムである。そして、これらを備える受光部６３は、発生空間３２からの散乱光を受光し、また、第１発光部６１及び第２発光部６２から一部検出光を、導光空間７を介して受光するように構成されている。
【００５６】
（構成‐詳細‐検煙部カバー）
図８は、取付面側から見た状態の検煙部カバーの斜視図であり、図９は、取付面側とは反対側から見た状態の検煙部カバーの斜視図である。これら各図の検煙部カバー４は、例えば、回路基板６との間に導光空間７を形成するためのものであり、また、回路基板６に任意の固定手段（例えば、ネジ、接着剤、係合構造、あるいは、嵌合構造等）を用いて固定されるものであり、また、回路基板６の吸収層６００を形成する吸収材料と同様な性質を有する公知の材料によって形成されるものであり、中空部を有する黒色の樹脂製のものであって、また、検煙部カバー側流入出開口４１、検煙部カバー側基板対向開口４２、検煙部カバー側傾斜部４３、検煙部カバー側部品収容部４４、位置決め突起４５、及び導光空間用溝４６を備える。
【００５７】
（構成‐詳細‐検煙部カバー‐検煙部カバー側流入出開口）
図４の検煙部カバー側流入出開口４１は、煙を含む気体の遮光空間３に対する流入及び／又は流出を可能にする流入出開口であり、具体的には、検煙部カバー４に設けられている開口であり、例えば、取付面１１と略直交する方向（Ｚ方向）を基準にして検煙部カバー４における取付面１１の反対側（−Ｚ方向）に向けて設けられている開口であり、１つのみ設けられている開口である。
【００５８】
（構成‐詳細‐検煙部カバー‐検煙部カバー側基板対向開口）
図８の検煙部カバー側基板対向開口４２は、図４に示すように、回路基板６側に設けられ得ている開口であり、例えば、検煙部カバー側流入出開口４１よりも大径のものである。
【００５９】
（構成‐詳細‐検煙部カバー‐検煙部カバー側傾斜部）
図８の検煙部カバー側傾斜部４３は、第１発光部６１及び第２発光部６２から発光された検出光を、前述の光軸画定平面と交差する方向に一次反射する反射手段であり、具体的には、検煙部カバー４における少なくとも第１発光側光軸６１１及び第２発光側光軸６２１上の一部を傾斜させることにより形成されるものであり、例えば、検煙部カバー４の側壁に対応するものである。
【００６０】
（構成‐詳細‐検煙部カバー‐検煙部カバー側部品収容部）
図８及び図９の検煙部カバー側部品収容部４４は、部品を収容する部品収容手段であり、例えば、相互に同様に構成されている、第１発光部用収容部４４１、第２発光部用収容部４４２、及び受光部用収容部４４３を備えるものである。
【００６１】
（構成‐詳細‐検煙部カバー‐検煙部カバー側部品収容部‐第１発光部用収容部）
図８の第１発光部用収容部４４１は、第１発光部６１の少なくとも一部（例えば、第１発光側光学部品６１３の少なくとも一部）を収容するものであり、例えば、第１発光部用基板側開口４４１ａを介して回路基板６側と通じているものであり、また、図６の第１発光部用遮光空間側開口４４１ｂを介して検煙部カバーの中空部（つまり、遮光空間３）側と通じているものである。
【００６２】
（構成‐詳細‐検煙部カバー‐検煙部カバー側部品収容部‐第２発光部用収容部）
図８の第２発光部用収容部４４２は、第２発光部６２の少なくとも一部（例えば、不図示の第２発光側光学部品の少なくとも一部）を収容するものであり、例えば、第２発光部用基板側開口４４２ａを介して回路基板６側と通じているものであり、また、図９の第２発光部用遮光空間側開口４４２ｂを介して検煙部カバーの中空部側と通じているものである。
【００６３】
（構成‐詳細‐検煙部カバー‐検煙部カバー側部品収容部‐受光部用収容部）
図８の受光部用収容部４４３は、受光部６３の少なくとも一部（例えば、不図示の受光側光学部品の少なくとも一部）を収容するものであり、例えば、受光部用基板側開口４４３ａを介して回路基板６側と通じているものであり、また、不図示の受光部用遮光空間側開口を介して検煙部カバーの中空部側と通じているものである。
【００６４】
（構成‐詳細‐検煙部カバー‐検煙部カバー側部品収容部‐位置決め突起）
図８の位置決め突起４５は、回路基板６に対して検煙部カバー４を位置決めするための位置決め手段であり、具体的には、図６の位置決め孔６０２に挿入されるものであり、例えば、３個設けられているものである。
【００６５】
（構成‐詳細‐検煙部カバー‐検煙部カバー側部品収容部‐導光空間用溝）
図８の導光空間用溝４６は、導光空間７を形成するものであり、検煙部カバー側部品収容部４４における回路基板６と対向する面である回路基板側対向面４００に設けられている溝である。この導光空間用溝４６の具体的な種類や構成は任意であるが、例えば、第１発光部用基板側開口４４１ａ、第２発光部用基板側開口４４２ａ、及び受光部用基板側開口４４３ａを相互に結ぶ溝として構成されている。
【００６６】
（構成‐詳細‐導光空間）
図５の導光空間７は、第１発光部６１からの一部検出光及び第２発光部６２からの一部検出光を、発生空間３２を介さずに受光部６３に導く導光手段である。この導光空間７の具体的な種類や構成は任意であるが、例えば、第１発光部６１及び第２発光部６２側から受光部６３側に至るものであり、また、図６の反射層６０１を備えるものであり、また、検煙部カバー４の少なくとも一部（具体的には、図８の導光空間用溝４６）及び回路基板６の少なく一部（具体的には、反射層６０１に対応する部分）によって囲まれているものであり、また、煙の流入出が行われ得ない密閉空間である。
【００６７】
（気流）
次に、このように構成された、感知器１００における気流について説明する。図１０は、図４において気流を白抜き矢印にて例示した図である。なお、感知器１００は、火災発生により発生した煙を含む気体が、あらゆる方向から移動してきた場合において、当該気体を遮光空間３に取り込んで検出し、迅速且つ確実に火災発生の判定を行うことができるが、ここでは、図１０を参照して、例えば、火災による煙を含む気体が、図面左側から感知器１００に向かって移動する場合の気流の例について説明する。
【００６８】
まず、図１０の白抜き矢印が示すように感知器１００に向かって移動する気体は、外カバー側流入出開口２１１、防虫網５、及び検煙部カバー側流入出開口４１を介してして遮光空間３の内部に流入する。なお、この場合、図５の導光空間７は前述したように密閉空間となっているので、当該気体は、導光空間７には流入しない状態になる。この後、当該気体は、検煙部カバー側流入出開口４１、防虫網５、及び外カバー側流入出開口２１１を介して遮光空間３の外部に流出することになる。
【００６９】
（火災の判定）
次に、このように構成された、感知器１００における火災の判定について説明する。感知器１００は、第１発光部６１又は第２発光部６２のうちの少なくとも一方から検出光を発光して煙を検出することにより火災を判定するが、ここでの煙の検出手法及び火災の判定の具体的な内容としては、公知の手法を含む任意の手法を用いることができるので、説明を省略する。
【００７０】
（状態把握処理）
次に、このように構成された、感知器１００によって実行される状態把握処理について説明する。ここで、「状態把握処理」とは、感知器１００の状態を把握するための処理であり、具体的には、第１発光部６１、第２発光部６２、又は受光部６３の状態を把握するための処理である。この状態把握処理の具体的な内容は任意であり、例えば、感知器１００の不図示の制御部が、第１発光部６１及び第２発光部６２から検出光を出力させる制御を所定時間毎に順次繰り返し行って、この制御を行った場合に、受光部６３にて予め定められた基準範囲内の光量の検出光を受光するか否かを判定して状態を把握するものとする。
【００７１】
具体的には、まず、感知器１００の不図示の制御部は、第１発光部６１から検出光を出力する制御を行う。このとき、図４の第１発光部６１が正常である場合には、第１発光部６１は検出光を出力し、この検出光のうちの大部分が遮光空間３に出力され、遮光空間３の内部で反射を繰り返して受光部６３の検出限界付近まで減衰する。一方、第１発光部６１からの検出光のうちの遮光空間３に出力されないものの少なくとも一部は、一部検出光として図５の導光空間７に出力され、導光空間７内で反射層６０１での反射等を繰り返した後に、受光部６３にて充分に検出可能なレベルのままで当該受光部６３に入射する。そして、感知器１００の不図示の制御部は、受光部６３にて受光した一部検出光の光量が基準範囲内である場合には、第１発光部６１及び受光部６３の両方が正常であるものと把握して、その旨を例えば感知器１００の不図示の表示灯を介して表示出力（例えば、緑色での５秒間の点灯等）する。また、感知器１００の不図示の制御部は、受光部６３にて受光した一部検出光の光量が基準範囲内でない場合には、第１発光部６１又は受光部６３の少なくとも一方が正常でないものと把握して、その旨を例えば感知器１００の不図示の表示灯を介して表示出力（例えば、赤色での点滅の繰り返し等）する。また、感知器１００の不図示の制御部は、第２発光部６２から検出光を出力する制御を行い、第１発光部６１から検出光を出力する制御を行った場合と同様な処理を行う。このようにして、導光空間７を通過する一部検出光を用いて、状態を把握することが可能となる。
【００７２】
（実施の形態の効果）
このように本実施の形態によれば、第１発光部６１及び第２発光部６２から発光された検出光の一部のみの光である一部検出光であって、第１発光部６１及び第２発光部６２又は受光部６３の状態を把握するための一部検出光を、発生空間３２を介さずに受光部６３に導くことにより、例えば、一部検出光を受光部６３に入射させることができるので、第１発光部６１及び第２発光部６２又は受光部６３の状態を把握することが可能となる。特に、例えば、導光空間７を備えていることにより、一定の空間を取り囲む等して導光空間７の経路を自由に設定することができるので、例えば、光ファイバーの如き導光部材の感知器１００内での引き回し等が不要となり、感知器１００の製造性を向上させることが可能となる。また、例えば、導光空間７の内部を中空にすることができるので、導光空間７を形成するための材料の量を減らすことができるので、感知器１００の低コスト化及び軽量化を図ることが可能となる。
【００７３】
また、導光空間７が反射層６０１を備えることにより、例えば、一部検出光が導光空間７内で減衰してしまうのを防止することができるので、一部検出光を受光部６３に確実に入射させることが可能となる。
【００７４】
また、導光空間７は回路基板６の少なくとも一部によって囲まれているので、例えば、導光空間７を形成するための専用部品を設けることが不要となるので、部品点数を減少させることができ、感知器１００の低コスト化及び軽量化を図ることが可能となる。
【００７５】
また、導光空間７が密閉空間であることにより、例えば、導光空間７に検出対象である煙が流入するのを防止することができるので、発生空間３２に流入する検出対象に関わらず安定的に一部検出光を受光部６３に入射させることができるので、第１発光部６１及び第２発光部６２又は受光部６３の状態を常に正確に把握することが可能となる。
【００７６】
また、検出対象が煙であることにより、例えば、煙を検出することができるので、当該煙の検出により火災を確実に判定することが可能となる。
【００７７】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７８】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００７９】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。例えば、上述の各特徴のうちの任意のものを従来のものに置き換えてもよい。例えば、第１発光部６１又は第２発光部６２のうちの一方を省略して発光部を１個用いる構成にしたり、あるいは、これらの発光部に加えて他の発光部を設けて発光部を３個以上用いる構成にしたりしてもよい。
【００８０】
（導光空間について（その１））
また、上記実施の形態では、図８に示すように、導光空間用溝４６を１つのみ設ける場合について説明したが、これに限らない。例えば、第１発光部用基板側開口４４１ａと受光部用基板側開口４４３ａとを相互に結ぶ第１導光空間用溝と、第２発光部用基板側開口４４２ａと受光部用基板側開口４４３ａとを相互に結ぶ第２導光空間用溝であって第１導光空間用溝とは結ばれていない第２導光空間用溝とを、形成してこれらの導光空間用溝を用いて導光空間を形成してもよい。
【００８１】
（導光空間について（その２））
また、上記実施の形態の導光空間７について、反射層６０１を省略したり、非密閉空間として構成したりして、様々な構成の導光空間を形成して感知器１００に実装してもよい。また、上記実施の形態の導光空間７のように、導光空間用溝４６を用いずに、各発光部からの一部検出光を受光部６３に入射させるためのトンネル光路を検煙部カバー４に設けて、当該トンネル光路を導光空間として用いてもよい。
【００８２】
（付記）
付記１の散乱光式感知器は、検出対象が流入する検出空間と、前記検出空間に向けて検出光を発光する発光手段と、少なくとも、前記発光手段から発光された前記検出光が前記検出空間に流入した前記検出対象により散乱されることで生じる散乱光を受光する受光手段と、前記発光手段から発光された前記検出光の一部のみの光である一部検出光であって、前記発光手段又は前記受光手段の状態を把握するための前記一部検出光を、前記検出空間を介さずに前記受光手段に導く導光手段と、を備えており、前記導光手段は、前記一部検出光を導く導光空間であって、前記発光手段側から前記受光手段側に至る前記導光空間を備えている。
【００８３】
付記２の散乱光式感知器は、付記１に記載の散乱光式感知器において、前記導光空間は、前記一部検出光を所定の反射率にて反射する反射層、を備える。
【００８４】
付記３の散乱光式感知器は、付記１又は２に記載の散乱光式感知器において、前記導光空間は、前記発光手段又は前記受光手段が実装される回路基板の少なくとも一部によって囲まれている。
【００８５】
付記４の散乱光式感知器は、付記１から３の何れか一項に記載の散乱光式感知器において、前記導光空間は、密閉空間である。
【００８６】
付記５の散乱光式感知器は、付記１から４の何れか一項に記載の散乱光式感知器において、前記検出対象は、煙である。
【００８７】
（付記の効果）
付記１に記載の散乱光式感知器によれば、発光手段から発光された検出光の一部のみの光である一部検出光であって、発光手段又は受光手段の状態を把握するための一部検出光を、検出空間を介さずに受光手段に導くことにより、例えば、一部検出光を受光手段に入射させることができるので、発光手段又は受光手段の状態を把握することが可能となる。特に、例えば、導光手段が導光空間を備えていることにより、一定の空間を取り囲む等して導光手段の経路を自由に設定することができるので、例えば、光ファイバーの如き導光部材の散乱光式感知器内での引き回し等が不要となり、散乱光式感知器の製造性を向上させることが可能となる。また、例えば、導光手段である導光空間の内部を中空にすることができるので、導光手段を形成するための材料の量を減らすことができるので、散乱光式感知器の低コスト化及び軽量化を図ることが可能となる。
【００８８】
付記２に記載の散乱光式感知器によれば、導光空間が反射層を備えることにより、例えば、一部検出光が導光空間内で減衰してしまうのを防止することができるので、一部検出光を受光手段に確実に入射させることが可能となる。
【００８９】
付記３に記載の散乱光式感知器によれば、導光空間は回路基板の少なくとも一部によって囲まれているので、例えば、導光空間を形成するための専用部品を設けることが不要となるので、部品点数を減少させることができ、散乱光式感知器の低コスト化及び軽量化を図ることが可能となる。
【００９０】
付記４に記載の散乱光式感知器によれば、導光空間が密閉空間であることにより、例えば、導光空間に検出対象が流入するのを防止することができるので、検出空間に流入する検出対象に関わらず安定的に一部検出光を受光手段に入射させることができるので、発光手段又は受光手段の状態を常に正確に把握することが可能となる。
【００９１】
付記５に記載の散乱光式感知器によれば、検出対象が煙であることにより、例えば、煙を検出することができるので、当該煙の検出により火災を確実に判定することが可能となる。
【符号の説明】
【００９２】
１  取付ベース
２  外カバー
３  遮光空間
４  検煙部カバー
５  防虫網
６  回路基板
７  導光空間
１１  取付面
２１  本体部
２１ａ  区分点
２２  誘導部
２３  リブ
３１  検出点
３２  発生空間
４１  検煙部カバー側流入出開口
４２  検煙部カバー側基板対向開口
４３  検煙部カバー側傾斜部
４４  検煙部カバー側部品収容部
４５  位置決め突起
４６  導光空間用溝
６１  第１発光部
６２  第２発光部
６３  受光部
１００  感知器
２１１  外カバー側流入出開口
２２１  誘導部側傾斜部
４００  回路基板側対向面
４４１  第１発光部用収容部
４４１ａ  第１発光部用基板側開口
４４１ｂ  第１発光部用遮光空間側開口
４４２  第２発光部用収容部
４４２ａ  第２発光部用基板側開口
４４２ｂ  第２発光部用遮光空間側開口
４４３  受光部用収容部
４４３ａ  受光部用基板側開口
６００  吸収層
６０１  反射層
６０２  位置決め孔
６１１  第１発光側光軸
６１２  第１発光素子
６１３  第１発光側光学部品
６２１  第２発光側光軸
６２２  第２発光素子
６３１  受光側光軸
６３２  受光素子
９００  設置面
【図１】
2019046112.tif 000003
【図２】
2019046112.tif 000004
【図３】
2019046112.tif 000005
【図４】
2019046112.tif 000006
【図５】
2019046112.tif 000007
【図６】
2019046112.tif 000008
【図７】
2019046112.tif 000009
【図８】
2019046112.tif 000010
【図９】
2019046112.tif 000011
【図１０】
2019046112.tif 000012